(57)【要約】【課題】  二次側配管の途中部にＵ字状の折曲部分を形成する場合にあって、末端部側に位置するスプリンクラーヘッドが故障等によって噴出口が開口したとしても、水の放出による損害を回避することができるようにする。【解決手段】  通常時は給水配管４における一次側配管５と二次側配管６の両者に水を充填した状態を維持すると共に、二次側配管６の立ち上げ分岐管６ａに一端側を接続し、他端側を吸引装置１０に接続した吸引管１１と、該吸引管１１の二次側配管６との接続部近傍に設けた電磁弁１２とからなる負圧状態確保手段１３により二次側配管６内の水を負圧状態としてこれを維持するようになす。二次側配管６における弁部７の近傍位置に設けた立ち上げ分岐管６ａの他に、末端位置にも立ち上げ分岐管６ａを設け、前記負圧状態確保手段１３における吸引管１１をこれら両立ち上げ分岐管６ａ、６ａに接続する。【選択図】  図２
2010246699.tif 000002
【特許請求の範囲】
【請求項１】
個々に独立して作動するスプリンクラーヘッドと、前記スプリンクラーヘッドへ水を給送する送水装置と、前記送水装置に接続された一次側配管、前記スプリンクラーヘッドに接続された二次側配管及びこれら一次側配管と二次側配管との間に設けた、通常時は閉鎖状態を維持する弁部とからなる、前記送水装置とスプリンクラーヘッドとを結ぶ給水配管と、前記スプリンクラーヘッドよりも早い感知機能を有し、スプリンクラーヘッドと同じ階に設置した、火災状態を感知したとき信号を送出する火災感知装置と、前記火災感知装置から発せられる信号を基に前記送水装置と弁部の作動を制御する制御部とをもって構成し、通常時は前記給水配管における一次側配管と二次側配管の両者に水を充填した状態を維持すると共に、前記二次側配管の立ち上げ分岐管に一端側を接続し、他端側を吸引装置に接続した吸引管と、該吸引管の前記二次側配管との接続部近傍に設けた電磁弁とからなる負圧状態確保手段により二次側配管内の水を負圧状態としてこれを維持するようになした負圧湿式スプリンクラーシステムにおいて、前記二次側配管における前記弁部近傍位置と末端位置に夫々立ち上げ分岐管を設け、前記負圧状態確保手段における吸引管をこれらの立ち上げ分岐管に接続したことを特徴とする負圧湿式スプリンクラーシステム。
【請求項２】
二次側配管における弁部近傍位置と末端位置との間における適宜の位置に立ち上げ分岐管を設けてなる請求項１記載の負圧湿式スプリンクラーシステム。
【発明の詳細な説明】
【技術分野】
【０００１】
本発明は建築物の自動消火用スプリンクラーシステムに関するものである。
【背景技術】
【０００２】
建築物の自動消火用スプリンクラーシステムとして、従来図３に示す如き負圧湿式スプリンクラーシステムが提案され、実用に供されている。
【０００３】
該負圧湿式スプリンクラーシステム１００は、個々に独立して作動するスプリンクラーヘッド１０１と、前記スプリンクラーヘッド１０１へ水を給送する送水装置１０２と、前記送水装置１０２に接続された一次側配管１０３、前記スプリンクラーヘッド１０１に接続された二次側配管１０４及びこれら一次側配管１０３と二次側配管１０４との間に設けた、通常時は閉鎖状態を維持する弁部１０５とからなる、前記送水装置１０２とスプリンクラーヘッド１０１とを結ぶ給水配管１０６と、前記スプリンクラーヘッド１０１よりも早い感知機能を有し、スプリンクラーヘッドと同じ階に設置した、火災状態を感知したとき信号を送出する火災感知装置１０７と、前記火災感知装置１０７から発せられる信号を基に前記送水装置１０２と弁部１０５の作動を制御する制御部１０８とをもって構成し、通常時は前記給水配管１０６における一次側配管１０３と二次側配管１０４の両者に水を充填した状態を維持すると共に、前記二次側配管１０４の立ち上げ分岐管１０４ａに一端側を接続し、他端側を吸引装置１０９に接続した吸引管１１０と、該吸引管１１０の前記二次側配管１０４との接続部近傍に設けた電磁弁１１１とからなる負圧状態確保手段１１２により二次側配管１０４内の水を負圧状態としてこれを維持するようになしたものである。
【０００４】
また、その他図３において、１１３は前記火災感知装置１０７から発せられた信号を受信して前記制御部１０８に送出する防災受信盤、１１４は前記吸引管１１０の途中部における前記電磁弁１１１よりも吸引装置１０９寄りの位置に設けた気液分離装置、１１５は前記二次側配管１０４の末端部に設けた試験弁、１１６は貯水槽である。
【０００５】
而して、該負圧湿式スプリンクラーシステム１００は、通常時において一次側配管１０３に加圧状態の水が充填され、二次側配管１０４には負圧状態の水が充填されている。火災感知装置１０７が煙や火災、温度等による火災発生状態を感知して信号を制御部１０８に送出すると、該制御部１０８により弁部１０５が開放状態となると共に送水装置１０２が作動を開始し、一次側配管１０３を経て二次側配管１０４に水が圧送される。したがって、二次側配管１０４内の水は負圧状態から加圧状態へ変化し、スプリンクラーヘッド１０１の作動に備える所謂予作動状態となる。そしてこの状態においてスプリンクラーヘッド１０１のいずれかが作動すると直ちに充分な放水が行われ、火災を最小限に防ぐことができるものである。
【０００６】
そして、更にまた、該負圧湿式スプリンクラーシステム１００は、スプリンクラーヘッド１０１が故障等によって実際の火災発生以外のときに作動したときにおいて、二次側配管１０４内に充填された水は負圧の状態に維持されているから、該二次側配管１０４内に残り続けることになる。即ち、スプリンクラーヘッド１０１が誤作動したとしても誤って水が放出されることがなく、周囲を水浸しにして損害を与える事態を回避することができるものである。
【０００７】
ところで、建築物への給水配管１０６の配管にあたっては、建築物の梁や空調設備のダクト等があることから、特に二次側配管１０４は、図４に示す如く、これらを迂回するように下側にＵ字状に折曲１０４′しなければならない。
【０００８】
このような場合において、従来の負圧湿式スプリンクラーシステム１００にあっては、吸引管１１０の一端に接続する二次側配管１０４の立ち上げ分岐管１０４ａを弁部１０５の近傍位置に設け、而も該立ち上げ分岐管１０４ａからのみ吸引するものであるから、該折曲部分１０４′が吸引の障害となって二次側配管１０４内の一部に空気溜まりＳが生ずることがある。そして、この折曲部分１０４′が多数箇所に及び空気溜まりＳの数が多くなると、負圧状態確保手段１１２による吸引が二次側配管１０４の末端部に至るほど弱まり、もって充填された水の負圧が弱まる。これによりスプリンクラーヘッド１０１のうちで二次側配管１０４の末端部に位置する側のものにおいて故障等によって噴出口が開口すると、該噴出口から水が放出される虞がある。
【発明の概要】
【発明が解決しようとする課題】
【０００９】
本発明は上記の点に鑑みなされたものであって、二次側配管内に充填された水を、弁部近傍部のみならず末端部からも吸引することにより、全体的に均一な負圧状態を維持することができるようになし、もって二次側配管の途中部にＵ字状の折曲部分を形成する場合にあって、末端部側に位置するスプリンクラーヘッドが故障等によって噴出口が開口したとしても、水の放出による損害を回避することができるようになした負圧湿式スプリンクラーシステムを提供しようとするものである。
【課題を解決するための手段】
【００１０】
而して、本発明の要旨とするところは、個々に独立して作動するスプリンクラーヘッドと、前記スプリンクラーヘッドへ水を給送する送水装置と、前記送水装置に接続された一次側配管、前記スプリンクラーヘッドに接続された二次側配管及びこれら一次側配管と二次側配管との間に設けた、通常時は閉鎖状態を維持する弁部とからなる、前記送水装置とスプリンクラーヘッドとを結ぶ給水配管と、前記スプリンクラーヘッドよりも早い感知機能を有し、スプリンクラーヘッドと同じ階に設置した、火災状態を感知したとき信号を送出する火災感知装置と、前記火災感知装置から発せられる信号を基に前記送水装置と弁部の作動を制御する制御部とをもって構成し、通常時は前記給水配管における一次側配管と二次側配管の両者に水を充填した状態を維持すると共に、前記二次側配管の立ち上げ分岐管に一端側を接続し、他端側を吸引装置に接続した吸引管と、該吸引管の前記二次側配管との接続部近傍に設けた電磁弁とからなる負圧状態確保手段により二次側配管内の水を負圧状態としてこれを維持するようになした負圧湿式スプリンクラーシステムにおいて、前記二次側配管における前記弁部近傍位置と末端位置に夫々立ち上げ分岐管を設け、前記負圧状態確保手段における吸引管をこれらの立ち上げ分岐管に接続したことを特徴とする負圧湿式スプリンクラーシステムにある。
【００１１】
また、上記構成において、二次側配管における弁部近傍位置と末端位置との間における適宜の位置に立ち上げ分岐管を設けるようにしてもよい。
【発明の効果】
【００１２】
本発明は上記の如き構成であり、二次側配管内に充填された水を、弁部近傍部のみならず末端部からも吸引することにより、全体的に均一な負圧状態を維持することができるようになしたものである。したがって、二次側配管の途中部にＵ字状の折曲部分を形成する場合にあって、末端部側に位置するスプリンクラーヘッドが故障等によって噴出口が開口したとしても、水の放出による損害を回避することができるものである。
【００１３】
また、二次側配管における弁部近傍位置と末端位置との間における適宜の位置に立ち上げ分岐管を設けるようにした場合には、より一層確実に全体的に均一な負圧状態の維持を図ることができるものである。
【図面の簡単な説明】
【００１４】
【図１】本発明に係る負圧湿式スプリンクラーシステムにおける要部の概略的説明図である。
【図２】同全体の概略的説明図である。
【図３】従来負圧湿式スプリンクラーシステムにおける要部の概略的説明図である。
【図４】同二次側配管に折曲部分を形成した場合の説明図である。
【発明を実施するための形態】
【００１５】
以下、本発明を実施するための形態について、図面を参照して説明する。
【００１６】
図中、１は負圧湿式スプリンクラーシステムである。また、該負圧湿式スプリンクラーシステム１は、後記スプリンクラーヘッドと、送水装置と、給水配管と、火災感知装置と、制御部と、負圧状態確保手段とをもって構成されるものである。
【００１７】
２、２は前記スプリンクラーヘッドであり、各階の天井部に配設された後記二次側配管の分岐管に取着され、個々に独立して作動するようになされたものである。
【００１８】
３は前記スプリンクラーヘッド２、２へ水を給送する送水装置であり、ポンプが用いられる。
【００１９】
４は前記送水装置３と前記スプリンクラーヘッド２、２とを結ぶ給水配管である。また、該給水配管４は、前記送水装置３に接続された一次側配管５、前記スプリンクラーヘッド２、２に接続された二次側配管６及びこれら一次側配管５と二次側配管６との間に設けた、通常時は閉鎖状態を維持する弁部７とからなるものである。
【００２０】
８、８は、前記スプリンクラーヘッド２、２よりも早い感知機能を有し、スプリンクラーヘッド２、２と同じ階に設置した火災感知装置であり、火災状態を感知したとき信号を送出するものである。
【００２１】
９は前記火災感知装置８、８から発せられる信号を基に前記送水装置３と弁部７の作動を制御する制御部である。
【００２２】
そしてまた、通常時は前記給水配管４における一次側配管５と二次側配管６の両者に水を充填した状態を維持すると共に、前記二次側配管６の立ち上げ分岐管６ａに一端側を接続し、他端側を吸引装置１０に接続した吸引管１１と、該吸引管１１の前記二次側配管６との接続部近傍に設けた電磁弁１２とからなる負圧状態確保手段１３により二次側配管６内の水を負圧状態としてこれを維持するようになしたものである。尚、１４は前記二次側配管６の末端部に設けた試験弁である。
【００２３】
以上の構成は、従来の負圧湿式スプリンクラーシステムと同様である。而して、本発明において特徴とするところは、前記二次側配管６における前記弁部７の近傍位置に設けた立ち上げ分岐管６ａの他に、末端位置にも立ち上げ分岐管６ａを設け、前記負圧状態確保手段１３における吸引管１１をこれら両立ち上げ分岐管６ａ、６ａに接続したことにある。尚、１１′は吸引管１１の延長部分である。また、図２に示す如く配管すれば該延長部分１１′を少なくすることができる。
【００２４】
斯かる本発明における予作動については、前記従来の負圧湿式スプリンクラーシステムと同様であるから詳細な説明は省略する。而して、本発明においては、二次側配管６内に充填された水を、立ち上げ分岐管６ａ、６ａを介して弁部７近傍部のみならず末端部からも吸引することにより、全体的に均一な負圧状態を維持することができるようになるものである。したがって、二次側配管６の途中部にＵ字状の折曲部分６′を形成する場合にあって、末端部側に位置するスプリンクラーヘッド２が故障等によって噴出口が開口したとしても、水の放出による損害を回避することができるものである。
【００２５】
また、図示はしないが、二次側配管６における弁部７の近傍位置と末端位置との間における適宜の位置に立ち上げ分岐管を設けた場合には、より一層確実に全体的に均一な負圧状態の維持を図ることができるものである。
【符号の説明】
【００２６】
１  負圧湿式スプリンクラーシステム
２、２  スプリンクラーヘッド
３  送水装置
４  給水配管
５  一次側配管
６  二次側配管
６ａ、６ａ  立ち上げ分岐管
７  弁部
８、８  火災感知装置
９  制御部
１０  吸引装置
１１  吸引管
１２  電磁弁
１３  負圧状態確保手段
【図１】
2010246699.tif 000003
【図２】
2010246699.tif 000004
【図３】
2010246699.tif 000005
【図４】
2010246699.tif 000006